(57)【要約】      （修正有）【課題】端面が隠蔽されたとしても破風部材及び軒樋用吊り具を自身に容易に固定できる垂木を提供する。【解決手段】屋外側端面１２１に破風部材２を固定可能な垂木１であって、垂木本体１２、垂木本体１２の屋外側端面１２１の上端から延設され、屋外側に向かって破風部材２の厚さ以上の長さを有する突出部１１を有する。突出部１１の水平方向の幅は、垂木本体１２の上面の水平方向の幅以下、あるいは、等しく、突出部１１が垂木本体１２と一体品、あるいは、別体品である。【選択図】図３
2019027178.tif 000002
【特許請求の範囲】
【請求項１】
屋外側端面に破風部材を固定可能な垂木であって、垂木本体と、垂木本体の屋外側端面の上端から延設され、屋外側に向かって破風部材の厚さ以上の長さを有する突出部と、を有する垂木。
【請求項２】
前記突出部の水平方向の幅が垂木本体の上面の水平方向の幅以下である請求項１に記載の垂木。
【請求項３】
前記突出部の水平方向の幅が垂木本体の上面の水平方向の幅に等しい請求項１又は請求項２に記載の垂木。
【請求項４】
前記突出部が垂木本体と一体品である請求項１〜３の何れか一項に記載の垂木。
【請求項５】
前記突出部が垂木本体とは別体品である請求項１〜３の何れか一項に記載の垂木。
【請求項６】
前記突出部が垂木本体の上面に沿って延設されている請求項１〜５の何れか一項に記載の垂木。
【請求項７】
請求項１〜６の何れか一項に記載の垂木と、該垂木の屋外側端面に隣接して固定された破風部材と、破風部材を貫通し、垂木内部で破風部材を固定する効果が発現している第一固定用部材と、を備えた軒先構造。
【請求項８】
破風部材の外表面に固定された軒樋用吊り具と、破風部材を貫通し、垂木内部で軒樋用吊り具を固定する効果が発現している第二固定用部材と、を更に備えた請求項７に記載の軒先構造。
【発明の詳細な説明】
【技術分野】
【０００１】
本発明は破風部材を固定する垂木に関する。また、本発明は建物の軒先構造に関する。
【背景技術】
【０００２】
建物の軒先には破風板及び鼻隠し（以下、本発明ではこれらをまとめて「破風部材」という。）といった耐風性能、耐火性能及び壁面保護等を目的とした板材が設置される。破風部材の固定方法は、垂木端面の手前側に破風部材を配置した上で、破風部材の屋外側表面から垂木端面にビスや釘等を打込んで固定する方法が多い。また、専用部材を用いて破風部材と垂木を固定する方法も知られている。（特許文献１、２）
【０００３】
また、一般に、屋根面から流れ落ちる雨水を受けるための軒樋が軒先に沿って敷設されている。軒樋は、垂木や破風部材に固定された軒樋用吊り具によって支持される。（特許文献３）
【先行技術文献】
【特許文献】
【０００４】
【特許文献１】特開２０１７−８９２８４号公報
【特許文献２】特開２０１３−２２１３５９号公報
【特許文献３】特開平７−２６９０５０号公報
【発明の概要】
【発明が解決しようとする課題】
【０００５】
このように、破風部材表面から垂木端面にビスや釘等を打込んで固定する方法においては、破風部材が例えば３０００ｍｍ以上の長尺物である為、垂木端面が破風部材に隠れる。また、垂木の上面側に野地板及び屋根材が敷設されると垂木の位置を上方から確認することもできない。このため、垂木の位置、つまりはビスや釘等を打込む位置を破風部材の屋外側表面から認識し難い。
【０００６】
また、専用部材を用いて破風部材と垂木を固定する方法においては、専用部材を用いるコスト、手間がかかり、場合によっては破風部材の厚さや材質の制限を受ける。
【０００７】
また、軒樋用吊り具を破風部材へ固定する場合には、ビスや釘等の固定用部材が固定効果を発揮できる破風部材の材質、厚さが必要となる。軒樋用吊り具を垂木へ固定する場合には、破風部材があると垂木の位置が視認できない為、破風部材を介して垂木へ固定することは困難である。従って、実際上、軒樋用吊り具を垂木へ確実に固定することができるのは、破風部材がない場合に限られる。
【０００８】
近年、住宅デザインの多様化に伴い、破風部材が破損しやすい材質であったり、破風部材が窯業系の材質などであったりする場合も増えている。このような場合、軒樋用吊り具を固定するビスや釘等が抜けやすいと、雨、雪又は風などの影響で軒樋用吊り具が破風部材から脱落するおそれがある。従って、軒樋用吊り具は破風部材を介して垂木に確実に固定されることが望ましい。
【０００９】
本発明の目的は、上記問題に着目してなされたもので、端面が隠蔽されたとしても破風部材を容易に固定できる垂木を提供することを課題の一つとする。
【課題を解決するための手段】
【００１０】
本発明者は上記課題を解決するために鋭意検討したところ、垂木の端面が破風部材によって隠蔽されたとしても、その位置が分かるように垂木を構成することが有効であることを見出した。本発明は当該知見に基づき完成したものであり、以下に例示される。
【００１１】
本発明は一側面において、屋外側端面に破風部材を固定可能な垂木であって、垂木本体と、垂木本体の屋外側端面の上端から延設され、屋外側に向かって破風部材の厚さ以上の長さを有する突出部と、を有する垂木である。
【００１２】
本発明に係る垂木の一実施形態においては、前記突出部の水平方向の幅が垂木本体の上面の水平方向の幅以下である。
【００１３】
本発明に係る垂木の別の一実施形態においては、前記突出部の水平方向の幅が垂木本体の上面の水平方向の幅に等しい。
【００１４】
本発明に係る垂木の更に別の一実施形態においては、前記突出部が垂木本体と一体品である。
【００１５】
本発明に係る垂木の更に別の一実施形態においては、前記突出部が垂木本体とは別体品である。
【００１６】
本発明に係る垂木の更に別の一実施形態においては、前記突出部が垂木本体の上面に沿って延設されている。
【００１７】
本発明は別の一側面において、本発明に係る垂木と、該垂木の屋外側端面に隣接して固定された破風部材と、破風部材を貫通し、垂木内部で破風部材を固定する効果が発現している第一固定用部材と、を備えた軒先構造である。
【００１８】
本発明に係る軒先構造の一実施形態においては、破風部材の外表面に固定された軒樋用吊り具と、破風部材を貫通し、垂木内部で軒樋用吊り具を固定する効果が発現している第二固定用部材と、を更に備える。
【発明の効果】
【００１９】
本発明によれば、垂木の端面が隠蔽されたとしても、垂木の端面上端から延設された突出部が目印となるので、破風部材を容易に垂木に固定することができる。また、本発明によれば、破風部材の材質及び厚さに関係なく、軒樋用吊り具を垂木に確実に取り付けることができるという利点も得られる。
【００２０】
つまり、本発明によれば垂木に破風部材を配置した後でも垂木の位置、すなわちビスや釘等を打込む位置を容易に認識でき、垂木と破風部材の専用固定具を用いずとも、容易に破風部材を垂木に固定できる。また、破風部材を取り付けた後でも垂木端面の位置を突出部を目印にして認識できる為、軒樋用吊り具を固定するビスや釘等の固定用部材は破風部材を貫通し、垂木に固定効果を発揮することができるように容易に施工可能である。ついては、破風部材の材質及び厚さを含めた設計自由度を高めることができ、更にはコストダウンにも貢献できる。従来は外表面（「屋外側表面」とも言う。）を構成する破風部材が薄い場合のほか、金属製や窯業系の材質の場合には、下地として厚みのある木製の破風部材を必要としていたところ、そのような下地が不要となるため、工事の簡略化及び施工費用の低減を図ることが可能となる。
【図面の簡単な説明】
【００２１】
【図１−１】本発明に係る垂木の第一実施例の概略図である。第一実施例に係る垂木においては、突出部が垂木本体の上面の水平方向の幅に等しい。
【図１−２】本発明に係る垂木の第一実施例の概略図であり、垂木本体の屋外側端面に破風部材を隣接配置した状態が示されている。
【図２−１】本発明に係る垂木の第二実施例の概略図である。第二実施例に係る垂木においては、突出部が垂木本体の上面の水平方向の幅よりも狭い。
【図２−２】本発明に係る垂木の第二実施例の概略図であり、垂木本体の屋外側端面に破風部材を隣接配置した状態が示されている。
【図３】本発明に係る軒先構造の一実施例の概略断面が示されている。
【図４】従来の軒先構造の一実施例の概略断面が示されている。
【発明を実施するための形態】
【００２２】
以下に発明の実施形態について、図面を参照しつつ詳しく説明する。
【００２３】
＜１．垂木＞
図１−１には本発明に係る垂木１の第一実施例の概略図が示されている。垂木１は、垂木本体１２と、垂木本体１２の屋外側端面１２１の上端から延設され、屋外側に向かって破風部材の厚さ以上の長さを有する突出部１１と、を有する。図１−２には図１−１に示した垂木１の屋外側端面１２１に破風部材２を隣接配置した図を示している。
【００２４】
従来、野地板、屋根材、及び破風部材を設置した後では、破風部材に垂木が隠れる為、破風部材の外表面から垂木の位置を認識できず、破風部材の下方からの目視確認や触手確認、又は、破風部材の表面を叩いて音による確認などにより、垂木端面の位置を推定する必要があった。破風部材は垂木端面にビスや釘等を用いて固定する為、垂木端面の位置が特定できないと、固定が困難となる。これに対して、本実施例に係る垂木１によれば、突出部１１が破風部材２の外表面より屋外側に向かって突出していることにより、野地板、屋根材、及び破風部材２を設置した後でも、破風部材２の外表面側から垂木１の位置を容易に認識できる。
【００２５】
突出部１１が屋外側に向かって延びる長さは、突出部１１の先端が破風部材２の外表面よりも突出している限り特に制限はない。しかしながら、突出部１１の視認性を高めるという観点からは、突出部１１の先端は、破風部材２の外表面よりも屋外側に向かって１０ｍｍ以上突出していることが好ましく、２０ｍｍ以上突出していることがより好ましい。但し、突出部１１の突出長さが長すぎると、折れやすくなり、また、軒樋用吊り具の取り付け作業の邪魔になることも考えられる。このため、突出部１１の先端は、破風部材２の外表面よりも屋外側に向かって５０ｍｍ以下突出していることが好ましく、３０ｍｍ以下突出していることがより好ましい。
【００２６】
なお、突出部１１が屋外側に向かって突出する長さは破風部材の厚み方向の長さを測定する。例えば、本実施例のように、突出部１１が垂木本体１２の上面１２２に沿って延設されている場合は、その突出長さは延設方向に沿って測定される。また、突出部１１が直線状ではなく、湾曲や屈曲しながら延設されているときでも、突出部１１の屋外側に向かって突出する長さは、破風部材の厚み方向の長さを測定する。
【００２７】
突出部１１は、垂木本体１２の上面１２２に沿って延設されている場合の他、湾曲したり、屈曲したり、垂木本体１２の上面１２２に沿った平面よりも上方又は下方に延設したり、様々な方向に延設させることができる。しかしながら、湾曲したり、屈曲したりすると、破風部材を設置する時に、野地板との間等に隙間ができたり、場合によっては湾曲、屈曲する突出部１１が邪魔になり、厚い破風部材は取り付けられない可能性もある。一方、突出部１１は、垂木本体１２の上面１２２に沿って延設されていれば、様々な厚さの破風部材に対し、汎用的に使用できる。このため、突出部１１は、垂木本体１２の上面１２２に沿って平板状に延設されていることが好ましい。
【００２８】
破風部材の構成として、下地として厚みのある木製の破風部材を垂木に固定した後、その木製破風部材の屋外側表面に金属製や窯業系の破風部材を固定する、つまり、複数の破風部材を積層することがある。工事前に破風部材の構成は決まる為、複数の破風部材を積層する場合には破風部材の合計の厚さを基準として、突出部が破風部材の外表面よりも突出する長さを定義する。
【００２９】
突出部１１の水平方向の幅については特に制限はない。例えば、第一実施例のように、突出部１１の水平方向の幅を垂木本体１２の上面１２２の水平方向の幅と等しくすることができる。また、図２−１には本発明に係る垂木１の第二実施例の概略図が示されている。図２−２には図２−１に示した垂木本体１２の屋外側端面１２１に破風部材２を隣接配置した図を示している。第二実施例に係る垂木１は、垂木本体１２の上面１２２の水平方向の幅よりも水平方向の幅が狭い突出部１１を有している。この場合においても、突出部１１の先端が破風部材２の外表面より突出していることにより、破風部材２を設置した後でも、破風部材２の外表面側から垂木１の位置が把握できる。但し、突出部１１の水平方向の幅は、狭すぎると突出部１１の機械的強度が弱くなることから、垂木本体１２の上面１２２の水平方向の幅に対して４０％以上であることが好ましく、６０％以上であることがより好ましく、８０％以上であることが更により好ましい。
【００３０】
突出部１１の水平方向の幅が垂木本体１２の上面１２２の水平方向の幅より広くても、垂木端面１２１の位置は認識できるが、これを垂木本体１２の上面１２２の幅より広くする意味はなく、加工が複雑になるなどの問題がある。また、突出部１１の水平方向の幅が極端に広いと、垂木本体１２の端面１２１の位置が認識しにくいという問題がある。よって、突出部１１の水平方向の幅は垂木本体１２の上面１２２の水平方向の幅以下であることが好ましい。垂木本体１２の屋外側端面１２１の水平方向の幅、つまりは破風部材２を固定できる水平方向の幅を確認できるという観点では、第一実施例のように、突出部１１の水平方向の幅が垂木本体１２の上面１２２の水平方向の幅と等しいことが最も好ましい。
【００３１】
垂木１は一般に木製であり、突出部１１を有するように加工した一体品であっても良い。この場合、加工効率面から突出部１１の水平方向の幅は垂木本体１２の上面１２２の幅と同一であることが好ましい。
【００３２】
突出部１１は垂木本体１２に後加工で取り付けてもよい。すなわち、突出部１１は垂木本体１２とは別体品として提供することも可能である。この場合、突出部１１は垂木本体１１と別材質の部材とすることもできる。取付方法は特に制限はないが、垂木本体１２の上面１２２又は垂木端面１２１に接着剤、ビス、釘等で固定することが可能である。また、突出部１１の根元を鋭利な形状にして垂木本体１２の上面１２２又は端面１２１に差し込み固定することも可能である。
【００３３】
突出部１１は最長でも軒樋用吊り具が取り付けられるまで存在すれば良いため、その目的を達成できる範囲で簡単に取り外せる材質、構造で良く、また、目的達成できるだけの耐久性があれば良い。例えば、突出部１１は、紙製、布製、木製、金属製、プラスチック製等とすることができる。
【００３４】
突出部１１の厚さが厚く、垂木本体１２の上面１２２に沿った面よりも上側に大きくはみ出す場合には、突出部１１が障害物となって、破風部材２及び垂木本体１２の上面１２２とその上側に設置される野地板等との間に隙間ができ、雨水の侵入などの問題がある。また、突出部１１の厚さが厚い場合には、破風部材２と野地板の間に隙間が大きくなるので、こちらも問題がある。この為、突出部１１は薄いことが好ましい。具体的には、突出部１１の厚みは３ｍｍ以下であることが好ましく、１ｍｍ以下であることが更に好ましく、例えば０．１〜３ｍｍとすることができる。なお、突出部１１の厚みは垂木本体１２の上面１２２に垂直な方向に測定する。
【００３５】
＜２．軒先構造＞
図３に、本発明に係る軒先構造の一実施例の概略断面を示す。本軒先構造は、本発明に係る垂木１と、該垂木１の屋外側端面１２１に隣接して固定された破風部材２と、破風部材２を貫通し、垂木１の内部で破風部材２を固定する効果が発現している固定用部材８とを備える。軒先には軒樋６を設置することができる。この場合、軒樋用吊り具５が破風部材２の外表面に固定され、軒樋６は軒樋用吊り具５に支持される。
【００３６】
本発明に係る垂木１は、軒樋用吊り具５を破風部材２の外表面に固定する場合においても有利である。破風部材２の材質及び厚さに関係なく軒樋用吊り具５を強固に固定するには、ビスや釘等の軒樋用吊り具５の固定用部材７を破風部材２を貫通させて垂木１の内部まで到達させることが望ましい。この点、本発明に係る垂木１によれば、破風部材２によって垂木１の屋外側端面１２１が隠蔽されたとしても、突出部１１により垂木１の屋外側端面１２１の位置を認識できる。このため、軒樋用吊り具５の固定用部材７が破風部材２を貫通し、垂木１の内部で軒樋用吊り具５を固定する効果を発揮するように施工することが容易となる。ついては、破風部材２の材質及び厚さを含めた設計自由度を高めることができ、更にはコストダウンにも貢献できる。
【００３７】
なお、破風部材２を固定する固定用部材８と、軒樋用吊り具５を固定する固定用部材７は同一でもよいが、予め破風部材２を垂木１に固定した後に、軒樋用吊り具５を破風部材２に固定するほうが工事しやすいことから、破風部材２を固定する固定用部材８を用いて先に破風部材２を垂木１に固定しておくことが好ましい。
【００３８】
図４に従来の軒先構造の一実施例の概略断面を示す。破風部材２を有する軒先に軒樋用吊り具５を固定する場合には、軒樋用吊り具５を取り付ける為のビスや釘等の固定用部材７は破風部材２に打ち込み、破風部材２がビスや釘等の固定用部材７の固定効果を発揮する。よって、破風部材２はビス等の固定用部材７の固定効果を発揮できる材質、厚さが必要である。
【００３９】
これに対し、図３に示す本発明に係る軒先構造によれば、破風部材２を設置した後でも垂木１の屋外側端面１２１の位置がわかる為、軒樋用吊り具５を取り付ける為のビス等の固定用部材７は破風部材２を介して垂木１の屋外側端面１２１に容易に取り付けることができる。垂木１に軒樋用吊り具５の固定効果を発揮することにより、破風部材２が薄くても、また破損しやすい材質でも軒樋用吊り具５は十分な固定効果を発揮できる。
【符号の説明】
【００４０】
１・・・垂木
１１・・・突出部
１２・・・垂木本体
１２１・・・端面
１２２・・・上面
２・・・破風部材
３・・・野地板
４・・・屋根材
５・・・軒樋用吊り具
６・・・軒樋
７・・・軒樋用吊り具の固定用部材
８・・・破風部材の固定用部材
【図１−１】
2019027178.tif 000003
【図１−２】
2019027178.tif 000004
【図２−１】
2019027178.tif 000005
【図２−２】
2019027178.tif 000006
【図３】
2019027178.tif 000007
【図４】
2019027178.tif 000008